(57)【要約】【課題】ブレ補正精度の高いブレ補正装置及び光学機器を提供し得る。【解決手段】ブレ補正装置１０を、互いに対向して備えられブレ補正時に互いに相対移動可能な第１の部材４０及び第２の部材３３と、第１の部材４０と第２の部材３３との間に第１の部材４０と第２の部材３３との相対移動方向と交差する方向の力を与える配線部材７０とを含む構成とした。【選択図】図５
2008083331.tif 000002
【特許請求の範囲】
【請求項１】
互いに対向して備えられブレ補正時に互いに相対移動可能な第１の部材及び第２の部材と、
前記第１の部材と前記第２の部材との間に前記第１の部材と前記第２の部材との相対移動方向と交差する方向の力を与える配線部材と
を含むことを特徴とするブレ補正装置。
【請求項２】
請求項１に記載されたブレ補正装置であって、
前記配線部材は、前記第１の部材と前記第２の部材との相対移動方向の面と直交する方向の力を与える電気的結線部材であること
を特徴とするブレ補正装置。
【請求項３】
請求項２に記載されたブレ補正装置であって、
前記電気的結線部材は、一方側が前記第１の部材と結線し他方側が前記第２の部材に結線するように撓ませて備えられていること
を特徴とするブレ補正装置。
【請求項４】
請求項３に記載されたブレ補正装置であって、
前記電気的結線部材は、前記一方側が前記第１の部材上に延在し前記他方側が前記第２の部材上に延在し、前記一方側と前記他方側とが互いに対向していること
を特徴とするブレ補正装置。
【請求項５】
請求項２から請求項４までの何れか１項に記載されたブレ補正装置であって、
前記電気的結線部材は、フレキシブルプリント基板であること
を特徴とするブレ補正装置。
【請求項６】
請求項３から請求項５までの何れか１項に記載されたブレ補正装置であって、
前記電気的結線部材は、第１の配線部と第２の配線部とを含み、
前記第１の配線部は、一方側が前記第１の部材上において所定方向に沿って延びており、他方側が前記第１の配線部の一方側から撓ませて備えられ、
前記第２の配線部は、一方側が前記第１の部材上において前記第１の配線部の一方側と直交する方向に沿って延びており、他方側が前記第２の配線部の一方側から撓ませて備えられていること
を特徴とするブレ補正装置。
【請求項７】
請求項６に記載されたブレ補正装置であって、
前記第１の配線部の他方側と前記第２の配線部の他方側とは、一体化されていること
を特徴とするブレ補正装置。
【請求項８】
請求項１から請求項７までの何れか１項に記載されたブレ補正装置であって、
前記第１の部材又は前記第２の部材の少なくとも一方に備えられたブレ補正レンズを含むこと
を特徴とするブレ補正装置。
【請求項９】
請求項１から請求項７までの何れか１項に記載されたブレ補正装置であって、
前記第１の部材又は前記第２の部材の少なくとも一方に備えられた撮像素子を含むこと
を特徴とするブレ補正装置。
【請求項１０】
請求項８又は請求項９に記載されたブレ補正装置を備えたこと
を特徴とする光学機器。
【発明の詳細な説明】
【技術分野】
【０００１】
本発明は、ブレ補正装置及び光学機器に関するものである。
【背景技術】
【０００２】
カメラ等の光学機器に備えられたブレ補正装置は、対向して配置され、ブレ補正時に相対移動可能な一組の部材を備えたものが知られている（例えば、特許文献１参照）。
【特許文献１】特開平６−２８９４６５号公報
【発明の開示】
【発明が解決しようとする課題】
【０００３】
この従来のブレ補正装置は、ブレ補正レンズを有するレンズ枠に搭載されたアクチュエータや位置検出センサ等に電源を供給する配線基板がブレ補正動作時（レンズ光軸に直交する平面上を移動するとき）の抵抗になり、ブレ補正の精度が低下する可能性があった。
本発明の課題は、ブレ補正精度が向上したブレ補正装置及び光学機器を提供することである。
【課題を解決するための手段】
【０００４】
本発明は、以下の解決手段により、前記課題を解決する。なお、理解を容易にするために、本発明の実施形態を示す図面に対応する符号を付して説明するが、これに限定されるものではない。
請求項１の発明は、互いに対向して備えられブレ補正時に互いに相対移動可能な第１の部材（４０）及び第２の部材（３３）と、前記第１の部材と前記第２の部材との間に前記第１の部材と前記第２の部材との相対移動方向と交差する方向の力を与える配線部材（７０）とを含むことを特徴とするブレ補正装置（１０）である。
【０００５】
請求項２の発明は、請求項１に記載されたブレ補正装置であって、前記配線部材（７０）は、前記第１の部材（４０）と前記第２の部材（３３）との相対移動方向の面と直交する方向の力を与える電気的結線部材であることを特徴とするブレ補正装置（１０）である。
請求項３の発明は、請求項２に記載されたブレ補正装置であって、前記電気的結線部材（７０）は、一方側が前記第１の部材（４０）と結線し他方側が前記第２の部材（３３）に結線するように撓ませて備えられていることを特徴とするブレ補正装置（１０）である。
【０００６】
請求項４の発明は、請求項３に記載されたブレ補正装置であって、前記電気的結線部材（７０）は、前記一方側が前記第１の部材（４０）上に延在し前記他方側が前記第２の部材上（３３）に延在し、前記一方側と前記他方側とが互いに対向していることを特徴とするブレ補正装置（１０）である。
請求項５の発明は、請求項２から請求項４までの何れか１項に記載されたブレ補正装置であって、前記電気的結線部材（７０）は、フレキシブルプリント基板であることを特徴とするブレ補正装置（１０）である。
【０００７】
請求項６の発明は、請求項３から請求項５までの何れか１項に記載されたブレ補正装置であって、前記電気的結線部材（７０）は、第１の配線部（７０ｘ）と第２の配線部（７０ｙ）とを含み、前記第１の配線部は、一方側が前記第１の部材（４０）上において所定方向に沿って延びており、他方側が前記第１の配線部の一方側から撓ませて備えられ、前記第２の配線部は、一方側が前記第１の部材上において前記第１の配線部の一方側と直交する方向に沿って延びており、他方側が前記第２の配線部の一方側から撓ませて備えられていることを特徴とするブレ補正装置（１０）である。
請求項７の発明は、請求項６に記載されたブレ補正装置であって、前記第１の配線部（７０ｘ）の他方側と前記第２の配線部（７０ｙ）の他方側とは、一体化されていることを特徴とするブレ補正装置（１０）である。
【０００８】
請求項８の発明は、請求項１から請求項７までの何れか１項に記載されたブレ補正装置であって、前記第１の部材（４０）又は前記第２の部材（３３）の少なくとも一方に備えられたブレ補正レンズ（２０）を含むことを特徴とするブレ補正装置（１０）である。
請求項９の発明は、請求項１から請求項７までの何れか１項に記載されたブレ補正装置であって、前記第１の部材（４０）又は前記第２の部材（３３）の少なくとも一方に備えられた撮像素子を含むことを特徴とするブレ補正装置である。
請求項１０の発明は、請求項８又は請求項９に記載されたブレ補正装置（１０）を備えたことを特徴とする光学機器（１）である。
なお、符号を付して説明した構成は適宜変更してもよく、また、少なくとも一部を他の構成物に代替してもよい。
【発明の効果】
【０００９】
ブレ補正精度の高いブレ補正装置及び光学機器を提供し得る。
【発明を実施するための最良の形態】
【００１０】
［実施形態］
以下、図面を参照して、本発明の実施形態をあげて、さらに詳しく説明する。なお、以下の実施形態は、ブレ補正装置を備えた光学機器として、カメラシステムを例にとって説明する。
図１は、実施形態のカメラシステムを示す斜視図である。
図２は、図１のカメラシステムに備えられたブレ補正装置を光軸方向の一方からみた平面図あり、（ａ）は、ブレ補正装置の全体図を示し、（ｂ）は、（ａ）のｂ部拡大図である。
図３は、図２のブレ補正装置を光軸方向の反対方向から見た平面図であり、（ａ）は、ブレ補正装置ケース蓋が取り外された状態を示し、（ｂ）は、ブレ補正装置ケース蓋が装着された状態を示している。
図４は、図２のブレ補正装置の断面図であり、（ａ）は、図２（ａ）のIVa−IVa矢視断面図を示し、（ｂ）は、図２（ａ）のIVｂ−IVｂ矢視断面図を示している。
図５は、図２（ａ）のブレ補正装置のV−V矢視断面図である。
図６は、図２（ａ）のブレ補正装置のVI−VI矢視断面図である。
【００１１】
図１において、実施形態のカメラシステム１は、交換レンズ２及びカメラ本体３を有している。
交換レンズ２は、全体的な形状が円筒形状とされ、光軸方向像側の端部がマウント部２ａを介してカメラ本体３に対して着脱可能に固定されている。この交換レンズ２は、光軸Ｚ上に配列された複数のレンズ群（ブレ補正レンズ２０以外のレンズ群は、図示省略）と、ブレ補正装置１０とを備えている。
図２（ａ）において、ブレ補正装置１０は、ブレ補正レンズ２０、ブレ補正装置ケース３０、可動レンズ枠４０、ボイスコイルモータ（ＶＣＭ）５０ｘ、５０ｙ（図４（ａ）参照）、位置検出部６０ｘ、６０ｙ（図４（ａ）参照）、フレキシブルプリント基板（ＦＰＣ）７０を備えている。
【００１２】
ブレ補正装置１０は、撮影光学系の一部であるブレ補正レンズ２０を、光軸Ｚに直交する平面内で撮影光学系の焦点面に配置された不図示の撮影部（撮像素子又はフィルム）に対して、撮影者の手ブレ等に起因する被写体像の像ブレを打ち消す方向に移動することによって、撮影部における像ブレを補正するものである。
図４（ａ）に示すように、ブレ補正装置ケース３０は、後述する可動レンズ枠４０を収容する部分であり、側壁３０ａ、天面３０ｂ及びブレ補正装置ケース蓋３３を備えている。
【００１３】
図４（ａ）に示すように、側壁３０ａは、円筒状に形成された部分であり、その中心軸線が光軸Ｚと略一致した状態で配置されている。
天面３０ｂは、側壁３０ａの光軸方向の一方側の端部から側壁３０ａの内径側につば状に突き出して形成された部分である。なお、後述する可動レンズ枠４０の構成の理解を容易にするため、図２は、天面３０ｂの図示を省略して示している。
図３（ｂ）、図４（ａ）を参照して説明する。ブレ補正装置ケース蓋３３は、光軸方向から見た平面形が略円形の板材であり、その中央部に略円形の開口部を備えている。このブレ補正装置ケース蓋３３は、側壁３０ａの光軸方向の他方側の端部に装着され、側壁３０ａに対して取り付けビス３４によって固定されている。
【００１４】
また、ブレ補正装置ケース蓋３３は、その外周縁部の一部が直線状に切り欠かれて形成された切欠部３３ａを備えている。これによりブレ補正装置ケース３０は、その光軸方向の他方側の端部に開口部３６が形成されている。
【００１５】
図４（ｂ）において、可動レンズ枠４０は、その中央部に開口部を備えた円盤状の部材であり、ブレ補正装置ケース３０の側壁３０ａの内径側に挿入されている。前述のブレ補正レンズ２０は、この可動レンズ枠４０の中心に装着されている。
この可動レンズ枠４０は、可動レンズ枠４０と天面３０ｂとの間に配置された鋼球４１によって、ブレ補正装置ケース３０に対して光軸Ｚに垂直な面内で移動自在に支持されている。
鋼球４１は、光軸回りに略均等な間隔を隔てて、例えば、３つ配置されている（図２（ａ）参照）。また、これらの鋼球４１は、天面３０ｂにカップ状に形成された鋼球保持部３０ｃに収容されている。なお、図示実施形態では、鋼球４１を用いて説明したが、鋼以外の金属材料、合金、セラミック材料を含む球を用いてもよい。
【００１６】
可動レンズ枠４０は、バネ４２ａ、４２ｂによってブレ補正装置ケース３０の天面３０ｂに接近する方向に付勢されている。このバネ４２ａ、４２ｂは、一端がブレ補正装置ケース３０の天面３０ｂに係合されるとともに、他端が可動レンズ枠４０に係合された引張コイルバネである。
図２（ａ）に示すように、バネ４２ａ、４２ｂは、ブレ補正レンズ２０を挟んで一組設けられ、一方のバネ４２ａは、後述する一組のコイル５１ｘ、５１ｙの間に配置され、他方のバネ４２ｂは、後述する一組のホール素子６１ｘ、６１ｙの間に配置されている。
【００１７】
図２（ａ）、図５を参照して説明する。可動レンズ枠４０は、第１のスリット４０ａ及び第２のスリット４０ｂを備えている。
第１のスリット４０ａ及び第２のスリット４０ｂは、可動レンズ枠４０をその厚さ方向に貫通して形成され、互いに直交する方向（それぞれ後述するＸ軸方向、Ｙ軸方向）に延在する長孔である。
第１のスリット４０ａは、ホール素子６１ｘの近傍に、第２のスリット４０ｂは、ホール素子６１ｙの近傍にそれぞれ形成されている。
【００１８】
ＶＣＭ５０ｘ、５０ｙは、光軸Ｚに直交する平面内において、直交する２軸方向（以下、Ｘ軸、Ｙ軸と称して説明する）に駆動する電磁アクチュエータである。ＶＣＭ５０ｘは、Ｘ軸方向用のものであり、ＶＣＭ５０ｙは、Ｙ軸方向用のものである。
以下、ＶＣＭ５０ｘ、５０ｙ、後述する位置検出部６０ｘ、６０ｙ及びこれらに含まれる各要素について、Ｘ軸方向用のものに記号ｘを、Ｙ軸方向用のものに記号ｙを付して説明する。
ＶＣＭ５０ｘは、電磁力がＸ軸に平行な軸線に沿ってブレ補正レンズ中心に作用するよう配置されており、ＶＣＭ５０ｙは、電磁力がＹ軸に平行な軸線に沿ってブレ補正レンズ中心に作用するよう配置されている。また、ＶＣＭ５０ｘ、５０ｙ、及び、位置検出部６０ｘ、６０ｙは、Ｘ軸方向用のものとＹ軸方向用のものの構成が実質的に同一であるので、ＶＣＭ５０ｙ及び位置検出部６０ｙの構成については、ＶＣＭ５０ｘ及び位置検出部６０ｘを示す図４において、括弧付きの記号を付して示すものとする。
【００１９】
ＶＣＭ５０ｘは、図４（ａ）に示すように、コイル５１ｘ及びマグネット５２ｘを備えている。
コイル５１ｘは、可動レンズ枠４０に固定された電気巻線子である。
マグネット５２ｘは、コイル５１ｘに対向した状態でブレ補正装置ケース３０の天面３０ｂに固定された永久磁石である。ＶＣＭ５０ｙ（図２（ａ）参照）も、ＶＣＭ５０ｘと同様にコイル５１ｙ（図２（ａ）参照）及びマグネット５２ｙ（図４（ａ）参照）を備えている。
【００２０】
図２（ａ）において、位置検出部６０ｘ、６０ｙは、可動レンズ枠４０のブレ補正装置ケース３０に対する移動を検出するものであり、位置検出部６０ｘは、Ｘ軸方向の検出を行うものであり、位置検出部６０ｙは、Ｙ軸方向の検出を行うものである。
位置検出部６０ｘは、ブレ補正レンズ２０を挟んでＶＣＭ５０ｘの反対側に配置され、位置検出部６０ｙは、ブレ補正レンズ２０を挟んでＶＣＭ５０ｙの反対側に配置されている。
【００２１】
図４（ａ）において、位置検出部６０ｘは、ホール素子６１ｘ及びマグネット６２ｘを備えている。
ホール素子６１ｘは、後述するＦＰＣ７０を介して可動レンズ枠４０に固定された磁気センサである。
マグネット６２ｘは、ホール素子６１ｘに対向した状態でブレ補正装置ケース３０の天面３０ｂに固定された永久磁石である。
位置検出部６０ｙ（図２（ａ）参照）も、位置検出部６０ｘと同様にホール素子６１ｙ及びマグネット６２ｙ（図４（ａ）参照）を備えている。
この位置検出部６０ｘ、６０ｙは、可動レンズ枠４０のブレ補正装置ケース３０に対する移動に応じて、ホール素子６１ｘ、６１ｙがマグネット６２ｘ、６２ｙの磁場の変化を検出して出力し、交換レンズ２に備えられた図示しないＣＰＵが、この出力に基づいて可動レンズ枠４０の移動量を算出するようになっている。
【００２２】
図２（ａ）、図３（ａ）において、ＦＰＣ７０は、可撓性を有するシート状の配線基板であり、例えば、交換レンズ２のＣＰＵと、コイル５１ｘ、５１ｙ及びホール素子６１ｘ、６１ｙとを電気的に接続している。なお、ＣＰＵは、カメラ本体３に備えられていてもよい。この場合、ＦＰＣ７０は、交換レンズ２とカメラ本体３とを接続する電気接点（図示せず）を介してカメラ本体３のＣＰＵと電気的に接続されてもよい。
ＦＰＣ７０は、例えば、合成樹脂材料によって形成されたシート材に導電パターンが設けられたものである。
【００２３】
図２（ａ）、図３（ｂ）において、ＦＰＣ７０は、Ｘ側ＦＰＣ７０ｘ、Ｙ側ＦＰＣ７０ｙを備えている。ＦＰＣ７０は、二股に分岐してＸ側ＦＰＣ７０ｘとＹ側ＦＰＣ７０ｙとが形成されたようになっている。
図３（ａ）、（ｂ）に示すように、ＦＰＣ７０は、ブレ補正装置ケース３０に形成された前述の開口部３６からブレ補正装置ケース３０の内部に挿通されている。また、ＦＰＣ７０は、ブレ補正装置ケース３０の外部に配置された端が、交換レンズ２に備えられたＣＰＵ（図示せず）に接続されている。
【００２４】
図３（ａ）に示すように、ＦＰＣ７０は、ブレ補正装置ケース３０の開口部３６に挿通された領域がＸ軸、Ｙ軸に対して、例えば、４５°の角度をなす方向に延在して配置され、ブレ補正装置ケース３０に収容された領域は、図５に示すようにブレ補正装置ケース蓋３３に対向する面部がブレ補正装置ケース蓋３３に貼付されている。
【００２５】
図２（ａ）において、Ｘ側ＦＰＣ７０ｘは、コイル５１ｙ及びホール素子６１ｘと交換レンズ２に備えられたＣＰＵ（図示せず）とを電気的に接続し、Ｙ側ＦＰＣ７０ｙは、コイル５１ｘ及びホール素子６１ｙとＣＰＵとを電気的に接続するものである。
Ｘ側ＦＰＣ７０ｘは、図５に示すように、可動レンズ枠４０とブレ補正装置ケース蓋３３との間で、第１の折り返し部７０ｘａを介して挟まれている。次に、第２の折り返し部７０ｘｂ、マウント部７０ｘｃ及び切欠き部７０ｘｄを備えている。
図２（ａ）、図５において、第１の折り返し部７０ｘａは、Ｘ側ＦＰＣ７０ｘの長手方向の中間部分が撓まされて、例えば、１８０°折り返された部分であり、その形状がＸ方向から見て略Ｕ字状になっている。
【００２６】
第２の折り返し部７０ｘｂは、Ｘ側ＦＰＣ７０ｘのおける第１の折り返し部７０ｘａよりも先端部側の領域が撓まされて、例えば、１８０°折り返された部分である。
Ｘ側ＦＰＣ７０ｘは、この第２の折り返し部７０ｘｂが可動レンズ枠４０に形成された第１のスリット４０ａに挿通されている。
図５において、マウント部７０ｘｃは、可動レンズ枠４０の天面３０ｂに対向する面部に貼付された領域であり、可動レンズ枠４０の周方向に沿ってカーブ（図２（ａ）参照）して形成されている。
【００２７】
このように、Ｘ側ＦＰＣ７０ｘは、可動レンズ枠４０のブレ補正装置ケース蓋３３に対向する側の面から、可動レンズ枠４０のブレ補正装置ケース蓋３３に対向する側の面とは反対側の面まで延びている。
これによって、Ｘ側ＦＰＣ７０ｘは、ブレ補正装置１０をＸ方向から見てその形状が略Ｓ字状になっている。
Ｘ側ＦＰＣ７０ｘに形成された４条の導電パターンのうち、例えば、Ｘ側ＦＰＣ７０ｘの幅方向の両端部に配置された２条の導電パターンは、コイル５１ｙに備えられた導電線が接続されている。残りの２条の導電パターンは、前述のホール素子６１ｘに装着されている。
【００２８】
図２（ｂ）を参照して説明する。切欠き部７０ｘｄは、Ｘ側ＦＰＣ７０ｘのホール素子６１ｘの周囲であって、導電パターンを除く部分が切り欠かれて形成されたものである。
この切欠き部７０ｘｄは、第２の折り返し部７０ｘｂの復元力に起因して発生するマウント部７０ｘｃを可動レンズ枠４０から剥離させる力がホール素子６１ｘに伝達して、ホール素子６１ｘが可動レンズ枠４０に対して移動することを防止するためのものである。
【００２９】
図６に示すように、Ｙ側ＦＰＣ７０ｙも、Ｘ側ＦＰＣ７０ｘと同様に、第１の折り返し部７０ｙａ、第２の折り返し部７０ｙｂ、マウント部７０ｙｃ、及び、切欠き部７０ｙｄを備えている。Ｙ側ＦＰＣ７０ｙは、Ｘ側ＦＰＣ７０ｘと同様の構成を有するので、詳細な説明を省略する。
【００３０】
以上説明したカメラシステム１は、カメラ本体３に設けられたレリ−ズスイッチ４が操作されることによって、交換レンズ２に備えられたブレ検出センサ５がＸ軸回り及びＹ軸回りの角速度を検出して出力する。Ｘ軸回りのブレは、ピッチング（Ｐｉｔｃｈ）と、Ｙ軸回りのブレは、ヨーイング（Ｙａｗ）とそれぞれ称され、ブレ補正動作は、例えば、この２方向のブレに起因する像ブレを補正することにより行われる。
ブレ補正装置１０は、ブレ検出センサ５の出力に基づいて、不図示のＣＰＵがブレ補正レンズ２０の駆動方向及び駆動量を算出するとともに、その算出結果に従ってＶＣＭ５０ｘ、５０ｙを制御してブレ補正レンズ２０を駆動する公知の像ブレの補正制御を行うようになっている。
【００３１】
以上説明したように、本実施形態のブレ補正装置によれば、以下の効果を得ることができる。
（１）図５、図６に示したように、Ｘ側ＦＰＣ７０ｘ及びＹ側ＦＰＣ７０ｙに第１の折り返し部７０ｘａ、７０ｙａを設けてブレ補正装置ケース蓋３３と可動レンズ枠４０との間に挟んだから、これらのＸ側ＦＰＣ７０ｘ及びＹ側ＦＰＣ７０ｙが原形状に復元しようとする復元力は、ブレ補正装置ケース蓋３３と可動レンズ枠４０とを離間させる方向に作用する。
このように、ブレ補正装置１０は、ＦＰＣ７０の復元力が可動レンズ枠４０のブレ補正装置ケース３０に対する相対移動方向に直交する方向に作用するため、ＶＣＭ５０が可動レンズ枠４０をブレ補正装置ケース蓋３３に対して光軸に垂直な平面内で駆動する際の抵抗にならない。これにより、ブレ補正装置１０は、そのブレ補正精度が向上する。
【００３２】
（２）例えば、ＶＣＭ５０ｘによって可動レンズ枠４０をＸ軸方向に駆動する際、Ｙ側ＦＰＣ７０ｙは、その長手方向に直交する方向に力が作用する。Ｙ側ＦＰＣ７０ｙは、この力によって捻られるが、捻れに対するＦＰＣの復元力は、例えば、屈曲されたＦＰＣが原形状に復元しようとする際の復元力に比べ、実質的に無視できる程度に小さい。したがって、可動レンズ枠４０をブレ補正装置ケース３０に対して駆動する際の抵抗にならない。
（３）Ｘ側ＦＰＣ７０ｘ及びＹ側ＦＰＣ７０ｙの復元力は、バネ４２（４２ａ、４２ｂ）による可動レンズ枠４０の付勢方向と同じであるから、バネ４２による可動レンズ枠４０の付勢の妨げにならない。このように、ブレ補正装置１０は、Ｘ側ＦＰＣ７０ｘ及びＹ側ＦＰＣ７０ｙの復元力が可動レンズ枠４０を天面３０ｂに接近させる方向に作用するので、弾性力の小さなバネを用いてバネ４２を構成できる。また、場合によっては、バネ４２を省略することができる。
【００３３】
（４）ブレ補正装置１０は、切欠き部７０ｘｄ、７０ｙｄがホール素子６１ｘ、６１ｙと第２の折り返し部７０ｘｂ、７０ｙｄとの間にそれぞれ形成されているので、Ｘ側ＦＰＣ７０ｘ、Ｙ側ＦＰＣ７０ｙが可動レンズ枠４０から剥離する方向に作用する力がそれぞれこの部分で遮断される。したがって、ホール素子６１の近傍の領域のうち、第２の折り返し部７０ｘｂ、７０ｙｂに近接した領域が可動レンズ枠４０から剥離することが防止される。また、これにより、ホール素子６１ｘ、６１ｙのＺ方向の位置ずれを防止し得る。
これによって、ホール素子６１ｘ、６１ｙの可動レンズ枠４０に対する位置が安定し、確実に可動レンズ枠４０のブレ補正装置ケース３０に対する移動量を算出することができるので、ブレ補正の精度が向上する。
【００３４】
［変形形態］
以上説明した実施形態に限定されることなく、種々の変形や変更が可能であって、それらも本発明の技術的範囲内である。
（１）本発明のブレ補正装置及び光学機器の構成は、実施形態に記載したものに限らず適宜変更が可能である。例えば、実施形態の光学機器は、カメラシステムであったが、光学機器は、これに限らず、双眼鏡、望遠鏡、顕微鏡等であっても良い。また、本発明のブレ補正装置は、画像撮影機能を備えた携帯電話機等のような光学機器を含む電子機器に備えられたものであってもよい。
（２）実施形態のブレ補正装置は、ブレ補正レンズを光軸に垂直な平面内で移動させるものであったが、これに限らず、例えば、ＣＣＤ等の撮像素子を光軸に垂直な平面内で移動させ像ブレを補正する構成としてもよい。
（３）実施形態のブレ補正装置は、マウント部にホール素子が装着されていたが、このような第１の部材と第２の部材との相対移動を制御するホール素子等の電子部品は、例えば、配線基板の他の部分に装着されていてもよい。この場合、電子部品の実装面積が増大する。
【図面の簡単な説明】
【００３５】
【図１】実施形態のカメラシステムを示す斜視図である。
【図２】図１のカメラシステムに備えられたブレ補正装置を光軸方向の一方からみた平面図ある。
【図３】図２のブレ補正装置を光軸方向の反対側から見た平面図である。
【図４】図２のブレ補正装置のIV−IV矢視断面図である。
【図５】図２のブレ補正装置のV−V矢視断面図である。
【図６】図２のブレ補正装置のVI−VI矢視断面図である。
【符号の説明】
【００３６】
１  カメラシステム  ：  １０  ブレ補正装置  ：  ２０  ブレ補正レンズ  ：  ３０  ブレ補正装置ケース  ：  ３３  ブレ補正装置ケース蓋  ：  ４０  可動レンズ枠  ：  ７０  ＦＰＣ  ：  ７０ｘ  Ｘ側ＦＰＣ  ：  ７０ｙ  Ｙ側ＦＰＣ
【図１】
2008083331.tif 000003
【図２】
2008083331.tif 000004
【図３】
2008083331.tif 000005
【図４】
2008083331.tif 000006
【図５】
2008083331.tif 000007
【図６】
2008083331.tif 000008